(57)【要約】【課題】電話回線からの応答メッセージの回り込みがあっても、応答メッセージ送出中のＣＮＧ信号を検出可能とすることで、通信相手に余計な費用負担をかけないファクシミリ装置を提供することを目的とする。【解決手段】呼び出し信号が着信すると応答メッセージを電話回線にＤＡ変換器１３および回線部２を介して送出するメッセージ再生部１２と、電話回線からの応答メッセージの回り込みのエコーを除去するエコーキャンセル部１４と、エコーキャンセル部１４からの音声信号を増幅する増幅部１６と、増幅部１６で増幅された音声信号から所定レベル以上のＣＮＧ信号を検出するＣＮＧ検知部１７と、応答メッセージの送出完了まで、増幅部１６の増幅度を低下させる制御部４とを備えた。【選択図】図１
2006287776.tif 000002
【特許請求の範囲】
【請求項１】
呼び出し信号が着信すると応答メッセージを電話回線に送出する音声信号発生部と、
前記電話回線からの前記応答メッセージの回り込みのエコーを除去するエコーキャンセル部と、
前記エコーキャンセル部からの音声信号を増幅する増幅部と、
前記増幅部で増幅された音声信号から所定レベル以上のＣＮＧ信号を検出するＣＮＧ検知部と、
前記応答メッセージの送出完了まで、前記増幅部の増幅度を低下させる制御部とを備えたことを特徴とするファクシミリ装置。
【請求項２】
前記制御部は、前記応答メッセージを送出するとともに、前記増幅部の増幅度を低下させる機能を備えたことを特徴とする請求項１記載のファクシミリ装置。
【請求項３】
送信および受信の音声信号を分離する機能を有する回線部と、
ファクシミリ通信を行うファクシミリ部と、
着信時に応答メッセージを再生するメッセージ再生部と、
電話回線からの回り込み成分または前記回線部での回り込み成分を除去するエコーキャンセル部と、
アンプ部と、所定レベル以上の音声データについては一定の信号レベルに抑えるように増幅部の増幅度を自動制御するＡＧＣ部とを備え、電話回線から入来して前記エコーキャンセル部を通過した後の音声信号を増幅する増幅部と、
ＣＮＧ信号の周波数帯域を通過させる帯域通過フィルタ部と、
ＣＮＧ信号の周波数帯域を通過させないための帯域除去フィルタ部と、
着信があり使用者がオフフックしないときに前記メッセージ再生部から応答メッセージを送出させるとともに前記アンプ部の増幅度を低下させ、前記帯域通過フィルタ部から出力された信号レベルが判定レベル以上であって且つ前記帯域除去フィルタ部から出力された信号レベルが判定レベル以下である場合にＣＮＧ信号であると判定する制御部を備えたことを特徴とするファクシミリ装置。
【請求項４】
送信および受信の音声信号を分離する機能を有する回線部と、
ファクシミリ通信を行うファクシミリ部と、
制御部と、
受信した音声信号をデジタルへ変換するＡＤ変換部と、着信時に応答メッセージを再生するメッセージ再生部と、音声データをアナログの音声信号に変換するＤＡ変換部と、ＡＤ変換部に入力した音声データのうち電話回線からの回り込み成分または回線部での回り込み成分を除去するエコーキャンセル部と、音声データを録音するメッセージ録音部と、増幅部と、ＣＮＧ検知部とを備えた信号処理部を有し、
前記増幅部は、アンプ部と、所定レベル以上の音声データについては一定の信号レベルに抑えるように増幅部の増幅度を自動制御するＡＧＣ部とを備え、
前記ＣＮＧ検知部は、ＣＮＧ信号の周波数帯域を通過させる帯域通過フィルタ部と、ＣＮＧ信号の周波数帯域を通過させないための帯域除去フィルタ部と、前記帯域通過フィルタ部から出力された信号レベルが判定レベル以上であるか否かを判定する通過信号検知部と、前記帯域除去フィルタ部から出力された信号レベルが判定レベル以下であるか否かを判定する除去信号検知部とを備え、
前記制御部は、着信があり使用者がオフフックしないときに前記メッセージ再生部から応答メッセージを送出させるとともに前記アンプ部の増幅度を低下させる制御を行ない、ＣＮＧ信号が検出されると前記ファクシミリ部を制御してファクシミリ通信を開始することを特徴とするファクシミリ装置。
【発明の詳細な説明】
【技術分野】
【０００１】
本発明は、呼び出し信号が着信すると応答メッセージを電話回線に送出するファクシミリ装置に関する。
【背景技術】
【０００２】
従来、ファクシミリ装置の中には留守番電話機能を備えたものが多い。例えば（特許文献１）に記載のファクシミリ装置は、呼び出し信号が着信した際に送出される応答メッセージが電話回線から回り込んでも、反転させた応答メッセージの音声信号で電話回線からの音声信号を相殺することで、応答メッセージを送出中であってもＣＮＧ信号を検出可能としたものである。
【特許文献１】特開平４−１２０８５６号公報
【発明の開示】
【発明が解決しようとする課題】
【０００３】
しかし、電話回線からの応答メッセージの回り込みで発生するエコーは、電話回線などの様々な条件により状況が変わるものなので、音声信号からエコーを完全に分離してＣＮＧ信号を検出するには限界がある。ＣＮＧ信号に応答メッセージが混在した状態の音声信号をそのまま増幅するとエコーも増幅してしまうので、ファクシミリ装置からの通信であることが検出できなくなる。そうなると応答メッセージを送出完了するまでＣＮＧ信号の検出ができないので、応答メッセージがＣＮＧ信号の送出時間より長い場合では、電話回線の条件にもよるが、留守番電話機能を作動させている間は、ファクシミリが着信できないおそれがある。また、応答メッセージがＣＮＧ信号の送出時間より短い場合では、応答メッセージが送出し終えるまで待ってからファクシミリ装置の着信となるので、相手先に余計な課金が発生してしまう。
【０００４】
そこで本発明は、電話回線からの応答メッセージの回り込みがあっても、応答メッセージ送出中のＣＮＧ信号を検出可能とすることで、通信相手に余計な費用負担をかけないファクシミリ装置を提供することを目的とする。
【課題を解決するための手段】
【０００５】
本発明のファクシミリ装置は、呼び出し信号が着信すると応答メッセージを電話回線に送出する音声信号発生部と、前記電話回線からの前記応答メッセージの回り込みのエコーを除去するエコーキャンセル部と、前記エコーキャンセル部からの音声信号を増幅する増幅部と、前記増幅部で増幅された音声信号から所定レベル以上のＣＮＧ信号を検出するＣＮＧ検知部と、前記応答メッセージの送出完了まで、前記増幅部の増幅度を低下させる制御部とを備えたことを特徴とする。
【発明の効果】
【０００６】
本発明は、応答メッセージが電話回線から回り込んでエコーとなってしまい音声信号に残留しても、増幅度を低下させた増幅部からの音声信号を所定レベル以上とした信号のみを検出することで、ＣＮＧ信号を検出することが可能である。よって、電話回線からの応答メッセージの回り込みがあっても、応答メッセージ送出中のＣＮＧ信号を検出可能とすることで、通信相手に余計な費用負担をかけないファクシミリ装置とすることができる。
【発明を実施するための最良の形態】
【０００７】
本願の第１の発明は、呼び出し信号が着信すると応答メッセージを電話回線に送出する音声信号発生部と、電話回線からの応答メッセージの回り込みのエコーを除去するエコーキャンセル部と、エコーキャンセル部からの音声信号を増幅する増幅部と、
増幅部で増幅された音声信号から所定レベル以上のＣＮＧ信号を検出するＣＮＧ検知部と、応答メッセージの送出完了まで、増幅部の増幅度を低下させる制御部とを備えたことを特徴としたものである。
【０００８】
音声信号発生部が、呼び出し信号が着信すると応答メッセージを電話回線に送出する。エコーキャンセル部は、電話回線からの応答メッセージの回り込みのエコーが発生してもエコーを除去する。しかし、その出力に少しのエコーが残留することがある。そうなっても、制御部が、応答メッセージの送出完了まで、この音声信号を増幅する増幅部の増幅度を低下させることで、ＣＮＧ検知部が、ＣＮＧ信号か否かを判定する際に、音声信号に混在したエコーが増幅されても所定レベル以上とならなければＣＮＧ信号を検出することができる。これは、残留するエコーの方がＣＮＧ信号よりも信号レベルが低いため、増幅部の増幅度を低下させることで、ノイズであるエコーの信号レベルを所定レベル以下の状態とすることができるからである。
【０００９】
従って、エコーキャンセル部の性能が多少低く、応答メッセージが電話回線から回り込んでエコーとなってしまい音声信号に残留しても、増幅度を低下させた増幅部からの音声信号を所定レベル以上の信号のみ検出することで、ＣＮＧ信号を検出することが可能である。よって、応答メッセージ送出中の間、増幅部の増幅度を低下させていれば、応答メッセージを送出していても、ＣＮＧ信号を抽出することが可能である。
【００１０】
本願の第２の発明は、制御部は、応答メッセージを送出するとともに、増幅部の増幅度を低下させる機能を備えたことを特徴としたものである。
【００１１】
制御部は、応答メッセージの送出時に増幅部の増幅度を低下させるので、応答メッセージが送出されるまでは無音状態の音声信号となる。従って、ＣＮＧ信号のレベルが低くても検出が可能である。
【００１２】
（実施の形態）
本発明の実施の形態に係るファクシミリ装置を図１に基づいて説明する。図１は、本発明の実施の形態に係るファクシミリ装置の構成を説明する図である。
【００１３】
図１に示すように留守番電話機能付きファシミリ装置１は、回線部２と、信号処理部３と、制御部４と備えている。
【００１４】
回線部２は、２線式の電話回線１０と接続され、送信および受信の音声信号を分離する機能を有している。
【００１５】
信号処理部３は、ＡＤ変換部１１と、メッセージ再生部１２と、ＤＡ変換部１３と、エコーキャンセル部１４と、メッセージ録音部１５と、増幅部１６と、ＣＮＧ検知部１７とを備えている。
【００１６】
ＡＤ変換部１１は、回線部２の音声信号出力に接続され、受信した音声信号をデジタルへ変換する機能を有している。
【００１７】
メッセージ再生部１２は、着信して留守のときに制御部４からの指示により、登録された応答メッセージをＤＡ変換部１３に出力する機能を備えている。
【００１８】
ＤＡ変換部１３は、メッセージ再生部１２からの音声データをアナログの音声信号に変換する機能を有している。メッセージ再生部１２と、ＤＡ変換部１３と、回線部２とで、音声信号発生部として機能する。
【００１９】
エコーキャンセル部１４は、応答メッセージを送出する際に、ＡＤ変換部１１から入力した音声データと、応答メッセージとを相殺して、ＡＤ変換部１１から入力した音声データのうち電話回線１０からの回り込みまたは回線部２の回り込みを除去する機能を有している。
【００２０】
メッセージ録音部１５は、エコーキャンセル部１４に接続され、制御部４からの指示により音声データを録音する機能を有している。
【００２１】
増幅部１６は、ＡＧＣ（Ａｕｔｏｍａｔｉｃ  Ｇａｉｎ  Ｃｏｎｔｒｏｌ）部１６ａと、アンプ部１６ｂとを備えいる。
【００２２】
ＡＧＣ部１６ａは、エコーキャンセル部１４に接続され、所定レベル以上の音声データについては常に一定の信号レベルに保つ機能を有している。
【００２３】
増幅部１６は、ＡＧＣ部１６ａからの出力を増幅する。この増幅部１６の増幅度は、制御部４により制御可能に接続されている。
【００２４】
ＣＮＧ検知部１７は、音声データからＣＮＧ信号を検出して制御部４へ通知する機能を有しており、帯域通過フィルタ部１７ａと、帯域除去フィルタ部１７ｂと、通過信号検知部１７ｃと、除去信号検知部１７ｄとを備えている。
【００２５】
帯域通過フィルタ部１７ａは、ＣＮＧ信号の周波数帯域の規格である１１００Ｈｚ±３８Ｈｚ（１０６２Ｈｚ〜１１３８Ｈｚ）を通過させるための濾過器である。帯域通過フィルタ部１７ａは、それ以外の周波数の信号については信号レベルを減衰させる機能を有している。
【００２６】
帯域除去フィルタ部１７ｂは、ＣＮＧ信号の周波数帯域を通過させないための濾過器であり、このＣＮＧ信号の周波数帯域については信号レベルを減衰させる機能を有している。
【００２７】
通過信号検知部１７ｃおよび除去信号検知部１７ｄは、帯域通過フィルタ部１７ａまたは帯域除去フィルタ部１７ｂから出力された音声データが判定レベル以上の信号レベルであるか否かを判定する機能を有している。
【００２８】
ファクシミリ部５は、スキャナで読取った画像を回線部２，電話回線１０を介して送信し、電話回線１０，回線部２を介して受信した画像をプリンタにより印字する機能を有している。
【００２９】
制御部４は、ファクシミリ装置１を総括制御しており、留守番モードのときに着信があり使用者がオフフックしないときはメッセージ再生部１２から応答メッセージを送出する機能を有している。また、ＣＮＧ信号が検出されるとファクシミリ部５へ稼働開始を通知する。
【００３０】
このＣＮＧ信号の検出は、制御部４が、帯域通過フィルタ部１７ａに接続される通過信号検知部１７ｃの判定がＣＮＧ信号有りで、かつ帯域除去フィルタ部１７ｂに接続される除去信号検知部１７ｄの判定が信号無しの場合に、ＣＮＧ信号を検出したことで判定される。着信の際、このようにＣＮＧ信号を検出すると、制御部４がファクシミリ部５を制御して発信元との間でファクシミリ通信が開始される。
【００３１】
以上のように構成される本発明の実施の形態に係るファクシミリ装置１の動作を、更に図２から図７に基づいて説明する。
【００３２】
図２は、本発明の実施の形態に係るファクシミリ装置１の動作を説明するフローチャートである。図３は、通常状態での増幅部１６の特性を説明する図である。図４は、通常状態でのＣＮＧ検知部１７の特性を説明する図であり、（Ａ）は帯域通過フィルタ部１７ａを通過したときの特性の図であり、（Ｂ）は帯域除去フィルタ部１７ｂを通過したときの特性の図である。図５は、増幅部１６の増幅度を低下させたときのＡＧＣ部１６ａの特性を説明する図である。図６は、増幅部１６の増幅度を低下させたときのＣＮＧ検知部１７の特性を説明する図であり、（Ａ）は帯域通過フィルタ部１７ａを通過したときの特性の図であり、（Ｂ）は帯域除去フィルタ部１７ｂを通過したときの特性の図である。図７（Ａ）から同図（Ｃ）は、ＣＮＧ信号にエコーが混入した音声信号からＣＮＧ信号を検出する通過信号検知部１７ｃおよび除去信号検知部１７ｄの動作を説明する図である。
【００３３】
図２に示すように、電話回線１０から着信すると（Ｓ１０）、制御部４はこの着信を留守モードとなっていることと、所定時間オフフックされないことを条件に回線捕捉する。制御部４は、通過信号検知部１７ｃおよび除去信号検知部１７ｄから結果を入力し、ＣＮＧ信号の検出を開始する（Ｓ２０）。
【００３４】
このときの増幅部１６およびＣＮＧ検知部１７の特性を図３および図４に基づいて説明する。
【００３５】
増幅部１６のＡＧＣ部１６ａに対して所定のＡＧＣレベルと、アンプ部１６ｂに対して所定の増幅度を設定することにより図３に示される実線の特性を得ることができる。本実施の形態では、回線信号レベルが−４３ｄＢｍ以上の信号についてはＡＧＣ部１６ａの出力で常に−１０ｄＢｍの信号レベルとして出力するようにＡＧＣ部１６ａとアンプ部１６ｂは設定されている。
【００３６】
図４（Ａ）に示すように帯域通過フィルタ部１７ａは、ＣＮＧ信号の周波数帯域の規格を含む１１００±５０Ｈｚを通過させることを示している。ＡＧＣ部１６ａでは、回線信号レベルが−４３ｄＢｍ以上であると−１０ｄＢｍの一定のレベルとしているので、この−４３ｄＢｍ以上の信号を帯域通過フィルタ部１７ａに入力すると、１１００±５０Ｈｚ以外の周波数の信号についてはレベルが減衰する（実線に示される特性）。例えば、帯域通過フィルタ部１７ａに接続される通過信号検知部１７ｃの判定レベルを−１６ｄＢｍに設定したとすると、通過信号検知部１７ｃは、この判定レベルを上回るレベルの音声データについてはＣＮＧ信号有りと判定し、下回るレベルに音声データについてはＣＮＧ信号無しと判定する。
【００３７】
図３に示すＡＧＣ部１６ａの特性では回線信号レベルが−４３ｄＢｍ以下の場合は、ＡＧＣが動作しないので、図４（Ａ）に示すように回線信号レベルが−４９ｄＢｍ以下の音声データ（一点鎖線）については、１１００Ｈｚ±５０ＨｚのＣＮＧ信号であっても、除去信号検知部１７ｄではＣＮＧ信号無しと判定される。
【００３８】
図４（Ｂ）に示すように、帯域除去フィルタ部１７ｂは、１１００±５０Ｈｚ以外を通過させることを示している。例えば回線信号レベルが−４３ｄＢｍ以上の信号がＡＧＣ部１６ａを通過して帯域除去フィルタ部１７ｂに入力される１１００±５０Ｈｚの周波数の信号についてはレベルが減衰する（実線に示される特性）。ここで帯域除去フィルタ部１７ｂに接続される除去信号検知部１７ｄの判定レベルを−１６ｄＢｍに設定したとすると、除去信号検知部１７ｄは、この判定レベルを上回るレベルの音声データについてはＣＮＧ信号以外の信号有りと判定し、下回るレベルの音声データについてはＣＮＧ信号以外の信号無しと判定する。つまり、図４（Ｂ）に示すように回線信号レベルが−４９ｄＢｍ以下の音声データ（一点鎖線）については、１１００Ｈｚ±５０Ｈｚ以外の信号であっても、除去信号検知部１７ｄでは信号無しと判定される。
【００３９】
このような特性となっている増幅部１６およびＣＮＧ検知部１７で、ＣＮＧ信号と応答メッセージの送出によるエコーが混在した音声データの判定を行うと、図３に示すようにエコーの回線信号レベルが−４９ｄＢｍ以上あれば判定レベルの−１６ｄＢｍより大きいので、除去信号検知部１７ｄでは１１００Ｈｚ±５０Ｈｚ以外の信号ありと判定される。従って、通過信号検知部１７ｃでＣＮＧ信号を検出しても、制御部４はこのＣＮＧ信号を無視して応答メッセージの送出を続けることになる。
【００４０】
このようにして制御部４は、図３で示される増幅部１６の特性と、図４で示されるＣＮＧ検知部１７の特性とによりＣＮＧ信号の検出を行っている。そして、制御部４は、操作者が所定時間内にオフフックしないことを条件に、応答メッセージを送出しつつ、増幅部１６のアンプ部１６ｂの増幅度の低下を行う。この応答メッセージの送出と、アンプ部１６ｂの増幅度の低下は、同時が望ましいが、制御部４の制御の順序として同時が困難であれば、応答メッセージの送出の直前にアンプ部１６ｂの増幅度の低下を行ってもよい（Ｓ３０）。
【００４１】
ここで、増幅部１６の増幅度の低下を行ったときの、増幅部１６およびＣＮＧ検知部１７の特性を図５および図６に基づいて説明する。
【００４２】
図５に示すように、アンプ部１６ｂの増幅度を１０ｄＢ低下させた場合、ＡＧＣ部１６ａの特性は一点鎖線で示される特性となる。つまり、通過信号検知部１７ｃや除去信号検知部１７ｄでの判定レベルを−１６ｄＢｍとした場合、回線信号レベルが−３９ｄＢ以下であると信号無しと判定されることを示している。
【００４３】
図６（Ａ）に示すように、帯域通過フィルタ部１７ａの特性は、回線信号レベルが−３３ｄＢｍ以上の音声データの場合は実線で示される特性となり、−３５ｄＢｍの音声データの場合は、点線で示される特性となり、−３９ｄＢｍ以下の音声データは一点鎖線で示される特性となる。従って、判定レベルを−１６ｄＢｍとすると、全ての周波数帯域に渡って信号なしとなる。
【００４４】
更に図６（Ｂ）に示すように、帯域除去フィルタ部１７ｂの特性は、回線信号レベルが−３３ｄＢｍ以上の音声データの場合は実線で示される特性となり、−３５ｄＢｍの音声データの場合は、点線で示される特性となり、−３９ｄＢｍ以下の音声データは一点鎖線で示される特性となる。従って、判定レベルを−１６ｄＢｍとすると、全ての周波数帯域に渡って信号なしとなる。
【００４５】
つまり、電話回線１０または回線部２を回り込んでエコーとなる応答メッセージの信号レベルは、アンプ部１６ｂの増幅度を低下させない場合では、−４９ｄＢｍ以上あれば判定レベルの−１６ｄＢｍを超えていたが、アンプ部１６ｂの増幅度を１０ｄＢ低下させることで、エコーの信号レベルが−３９ｄＢｍまでは判定レベルを超えない。従って、少しのエコーが音声信号に残留した状態であっても、この音声信号を増幅する増幅部の増幅度を低下させることで、除去信号検知部１７ｄでの誤認を防止することができる。
【００４６】
ＣＮＧ信号にエコーが混入した音声信号からＣＮＧ信号を検出する通過信号検知部１７ｃおよび除去信号検知部１７ｄの動作を図７に基づいて説明する。
【００４７】
図７（Ａ）に示すように、メッセージ再生部１２から応答メッセージが送出されると、電話回線１０または回線部２を回り込んでエコーとなり、ＣＮＧ信号に重畳された音声信号となる。しかし、このエコーは、ＣＮＧ信号と比較して微小な音声信号である。
【００４８】
この重畳された音声信号をアンプ部１６ｂの増幅度を低下させずにＣＮＧ検知部１７へ入力すると、通過信号検知部１７ｃおよび除去信号検知部１７ｄの判定レベルは−１６ｄＢｍで、回線信号レベル−４９ｄＢｍに相当する。従って、図７（Ｂ）の上段に示すように、通過信号検知部１７ｃでは−４９ｄＢｍ以上の信号で１１００Ｈｚの周波数成分が含まれるものをＣＮＧ信号（１１００Ｈｚ±５０Ｈｚ）有りとして検出してしまう。また図７（Ｂ）の下段に示すように、同様に除去信号検知部１７ｄでも−４９ｄＢｍ以上の信号はＣＮＧ信号以外の信号（１１００Ｈｚ以外）有りとして検出してしまう。
【００４９】
つまり、通過信号検知部１７ｃではある程度ＣＮＧ信号の検出を行えているが、除去信号検知部１７ｄが誤検出（ＣＮＧ信号以外の信号を検出）してしまっているので、制御部４にてＣＮＧ信号ではないと総合的に判断され、ＣＮＧ信号の検出ができない状態である。
【００５０】
そこで、アンプ部１６ｂの増幅度を低下させてＣＮＧ検知部１７へ入力すると、通過信号検知部１７ｃおよび除去信号検知部１７ｄの判定レベルは−１６ｄＢｍのままだが、回線信号レベルで−３９ｄＢｍに相当することになる。従って図７（Ｃ）の上段に示すように、通過信号検知部１７ｃでは−３９ｄＢｍ以上の信号をＣＮＧ信号（１１００Ｈｚ±５０Ｈｚ）有りとして検出されることとなり、ＣＮＧ信号のみを検出できる。また図７（Ｃ）の下段に示すように、除去信号検知部１７ｄではエコーが−３９ｄＢｍより小さいレベルであるため、ＣＮＧ信号以外の信号（１１００Ｈｚ以外）無しの状態である。
【００５１】
このようにして、通過信号検知部１７ｃではＣＮＧ信号有りを検出でき、除去信号検知部１７ｃではＣＮＧ信号以外はなしとなるので、応答メッセージを送出中であっても制御部４はＣＮＧ信号の検出を行うことができる。
【００５２】
図２に戻って、応答メッセージの送出が終了すると、制御部４はメッセージ録音部１５へ音声データの録音を指示する（Ｓ４０）。
【００５３】
そして、制御部４は音声データの録音の開始とともに、アンプ部１６ｂの増幅度を元の状態に復帰させる。つまり図３に示される特性に、増幅部１６は戻ることになる（Ｓ５０）。
【００５４】
音声データの録音は所定時間経過したか、または通話の切断を検出すると、制御部４はメッセージ録音部１５へ録音終了を指示する（Ｓ６０）。回線を切断するとともにＣＮＧ信号の検出を終了する（Ｓ７０およびＳ８０）。
【産業上の利用可能性】
【００５５】
本発明は、電話回線からの応答メッセージの回り込みがあっても、応答メッセージ送出中のＣＮＧ信号を検出可能とすることで、通信相手に余計な費用負担をかけないので、呼び出し信号が着信すると応答メッセージを電話回線に送出するファクシミリ装置に好適である。
【図面の簡単な説明】
【００５６】
【図１】本発明の実施の形態に係るファクシミリ装置の構成を説明する図
【図２】本発明の実施の形態に係るファクシミリ装置の動作を説明するフローチャート
【図３】通常状態での増幅部の特性を説明する図
【図４】通常状態でのＣＮＧ検知部の特性を説明する図
【図５】増幅部の増幅度を低下させたときのＡＧＣ部の特性を説明する図
【図６】増幅部の増幅度を低下させたときのＣＮＧ検知部の特性を説明する図
【図７】ＣＮＧ信号にエコーが混入した音声信号からＣＮＧ信号を検出する通過信号検知部および除去信号検知部の動作を説明する図
【符号の説明】
【００５７】
１    留守番電話機能付きファシミリ装置
２    回線部
３    信号処理部
４    制御部
５    ファクシミリ部
１０    電話回線
１１    ＡＤ変換部
１２    メッセージ再生部
１３    ＤＡ変換部
１４    エコーキャンセル部
１５    メッセージ録音部
１６    増幅部
１６ａ    ＡＧＣ部
１６ｂ    アンプ部
１７    ＣＮＧ検知部
１７ａ    帯域通過フィルタ部
１７ｂ    帯域除去フィルタ部
１７ｃ    通過信号検知部
１７ｄ    除去信号検知部
【図１】
2006287776.tif 000003
【図２】
2006287776.tif 000004
【図３】
2006287776.tif 000005
【図４】
2006287776.tif 000006
【図５】
2006287776.tif 000007
【図６】
2006287776.tif 000008
【図７】
2006287776.tif 000009